(57)【要約】【課題】カーシェリングシステムやレンタカーシステムで自動車を借り出し返却する際にICカードや携帯電話等を活用し利用する際に自動車の利用時の異常の有無を無尽で人手を介さずにチェックする装置、システムの提供を行う。【解決手段】駐車場に自動車管理装置を設置し、貸し出しの前の状況と返却後の状況を比較することによって異常の有無を検知する。あるいは自動車に音、振動などのセンサーを設けた車載装置を設けておきセンサーを利用時起動しておき通常の利用時との比較から異常の状況を検知し記録する。【選択図】  図２
2011095880.tif 000002
【特許請求の範囲】
【請求項１】
複数の利用者が自動車を利用するレンタカーシステムあるいは共同利用するカーシェアリングシステムにおいて自動車を管理する駐車場に設置される駐車場自動車管理装置と、該自動車に設置された車載装置とから構成され該駐車場自動車管理装置は該自動車の利用前後の車の状態を監視し、利用の後に利用時の異常の発生の有無を監視記録する異常監視記録手段、該車載装置には該自動車利用中の異常を監視記録する異常監視記録手段を有し、該駐車場自動車管理装置の異常監視記録手段及び車載装置の異常監視記録手段の両者により該自動車の利用前後の異常を判断する自動車利用異常判断手段を有することを特徴とする自動車管理システム
【請求項２】
前記駐車場自動車管理装置と前記車載装置は通信手段を有し前記車載装置に記録された異常情報を前記駐車場自動車管理装置に送信することにより異常情報を前記駐車場自動車管理装置に取り込むことを特徴とする特許請求範囲第１項記載の自動車管理システム
【請求項３】
前記監視記録手段において利用における異常の記録があった際には異常状態処理を行うことを特徴とする特許請求範囲第１項記載の自動車管理システム
【請求項４】
前記駐車場自動車管理装置の異常監視記録手段と前記車載装置の異常監視記録手段が共同して前記自動車の利用前後の異常検出することを特徴とする特許請求範囲第１項記載の自動車管理システム
【請求項５】
前記監視手段は駐車場自動車管理装置に設置された画像センサーであり利用者が車を利用した利用前後の車の外観画像を比較することにより異常を発見することを特徴とする特許請求範囲第１項記載の自動車管理システム
【請求項６】
前記車載装置はユニークなIDを有しており、前記駐車場自動車管理装置は前記車載装置IDにより識別し、自動車を特定し、該自動車の利用前後を比較することによって該自動車利用中の異常を監視記録することを特徴とする特許請求範囲第１項記載の自動車管理システム
【請求項７】
前記異常監視記録手段は画像センサー、音センサー、振動センサー、加速度センサーから選ばれた少なくとも１つのセンサーから構成され、センサーにより自動車利用中の状態を監視することにより異常状態を検知することを特徴とする特許請求範囲第１項記載の自動車管理システム
【請求項８】
前記異常状態を監視し、異常状態を検知した際には該異常状態を記録する異常状態記録手段を有していることを特徴とする特許請求範囲第７項記載の自動車管理システム
【請求項９】
前記画像センサーは自動車利用時の通常利用状態を記録しておき通常状態と変わった時あるいは、画像変化量が通常の画像変化量が最大値を超えたとき異常と判断することを特徴とする特許請求範囲第７項記載の自動車管理システム
【請求項１０】
前記音センサーは自動車利用時の通常利用状態を記録しておき通常状態の音量が最大値超えた時、あるいは通常状態の音の周波数パターンと異なったときあるいはその両者の組み合わせで異常と判断することを特徴とする特許請求範囲第７項記載の自動車管理システム
【請求項１１】
前記音センサーは自動車に複数設けられ異常時の複数の音の位相を解析することにより自動車のどの位置で異常が発生したかを特定する異常位置特定手段を有することを特徴とする特許請求範囲第１０項記載の自動車管理システム
【請求項１２】
前記振動センサーは自動車利用時の通常利用状態を記録しておき通常状態の振動の振幅が最大値超えた時、あるいは通常状態の振動の周波数パターンと異なったときあるいはその両者の組み合わせで異常と判断することを特徴とする特許請求範囲第７項記載の自動車管理システム
【請求項１３】
前記加速度センサーは自動車利用時の通常利用状態を記録しておき通常状態の加速度が最大値超えた時、あるいは通常状態の加速度パターンと異なったときあるいはその両者の組み合わせで異常と判断することを特徴とする特許請求範囲第７項記載の自動車管理システム
【請求項１４】
複数の利用者が自動車を利用するレンタカーあるいは共同利用するカーシェアリングのシステムにおける自動車を管理する駐車場に設置される自動車管理装置において自動車の利用前後の車の状態を監視し、利用の後に異常の発生の有無を監視記録する監視記録手段を有することを特徴とする自動車管理装置
【請求項１５】
前記監視手段は自動車管理装置に設置された画像センサーであり利用者が車を利用した利用前後の車の外観画像を比較することにより異常を発見することを特徴とする特許請求範囲第１４項記載の自動車管理装置
【請求項１６】
前記監視記録手段において利用における異常がの記録があった際には異常状態処理を行うことを特徴とする特許請求範囲第１４項記載の自動車管理装置
【請求項１７】
前記自動車管理装置により管理される自動車の車両ボディ接触事故を検知するために検知用の連続したテープを設け、前記自動車管理装置により前記自動車が利用中に接触事故を検知する目的で前記テープが切断しているかどうかを判断するテープ切断判断手段を有していることを特徴とする特許請求範囲１４項記載の自動車管理装置
【請求項１８】
前記テープ切断判断手段は前記テープは電磁波吸収体が塗布されており、前記駐車場自動車管理装置から電磁波を前記テープに照射し反射波を観測することにより切断の有無を判断することを特徴とする特許請求範囲１７項記載の自動車管理装置
【請求項１９】
前記テープ切断判断手段は前記テープには光学的材料が塗布されており、前記駐車場自動車管理装置から光を当て反射光を観測することにより切断の有無を判断することを特徴とする特許請求範囲１７項記載の自動車管理装置
【請求項２０】
前記テープ切断判断手段は前記テープには蛍光材料が塗布されており、前記駐車場装置から光を当て蛍光を観測することにより切断の有無を判断することを特徴とする特許請求範囲１７項記載の自動車管理装置
【請求項２１】
前記テープ切断判断手段は前記テープは電線が設けられており、端部に設けられた電線の端部の電極により断線の有無を検知することことにより切断の有無を判断することを特徴とする特許請求範囲１７項記載の自動車管理装置
【請求項２２】
前記テープの端部の電極にはRFIDを設け、前記駐車場自動車管理装置にはRFIDのリーダーが設置され前記RFIDリーダーによりRFIDを読み取ることにより切断の有無を判断することを特徴とする特許請求範囲１９項記載の自動車管理装置
【請求項２３】
複数の利用者が自動車を利用するレンタカーシステムあるいは共同利用するカーシェアリングシステムにおいて画像センサー、音センサー、振動センサー、加速度センサーから選ばれた少なくとも１つのセンサーから構成され、センサーにより自動車利用中の状態を監視することにより異常状態を検知し、自動車の異常状況を監視する車載装置を設置したことを特徴とする自動車車載装置。
【請求項２４】
前記異常状態を監視し、異常状態を検知した際には該異常状態を記録する異常状態記録手段を有していることを特徴とする特許請求範囲第２３項記載の自動車車載装置  
【請求項２５】
前記画像センサーは自動車利用時の通常利用状態を記録しておき通常状態と変わった時あるいは、画像変化量が通常の画像変化量が最大値を超えたとき異常と判断することを特徴とする特許請求範囲第２３項記載の自動車車載装置
【請求項２６】
前記監視記録手段において利用における異常がの記録があった際には異常状態処理を行うことを特徴とする特許請求範囲第２３項記載の自動車管理装置
【請求項２７】
前記音センサーは自動車利用時の通常利用状態を記録しておき通常状態の音量が最大値超えた時、あるいは通常状態の音の周波数パターンと異なったときあるいはその両者の組み合わせで異常と判断することを特徴とする特許請求範囲第２３項記載の自動車車載装置
【請求項２８】
前記音センサーは自動車に複数設けられ異常時の複数の音の位相を解析することにより自動車のどの位置で異常が発生したかを特定する異常位置特定手段を有することを特徴とする特許請求範囲第２７項記載の自動車車載装置
【請求項２９】
前記振動センサーは自動車利用時の通常利用状態を記録しておき通常状態の振動の振幅が最大値超えた時、あるいは通常状態の振動の周波数パターンと異なったときあるいはその両者の組み合わせで異常と判断することを特徴とする特許請求範囲第２３項記載の自動車車載装置
【請求項３０】
前記加速度センサーは自動車利用時の通常利用状態を記録しておき通常状態の加速度が最大値超えた時、あるいは通常状態の加速度パターンと異なったときあるいはその両者の組み合わせで異常と判断することを特徴とする特許請求範囲第２３項記載の自動車車載装置
【請求項３１】
複数の利用者が自動車を利用するレンタカーあるいは共同利用するカーシェアリングのシステムにおける自動車を管理するシステムにおいて自動車の利用前後の車の状態を監視し、利用の後に異常の発生の有無を検出するため自動車の車両ボディの接触事故を検知するために検知用の連続したテープを設け、前記自動車が利用中に接触事故などによる異常を検知する前記テープが切断しているかどうかを判断するテープ切断判断手段を有していることを特徴とする自動車管理システム
【請求項３２】
前記テープ切断判断手段は前記テープは電磁波吸収体が塗布されており、電磁波を前記テープに照射し反射波を観測することにより切断の有無を判断することを特徴とする特許請求範囲３１項記載の自動車管理システム
【請求項３３】
前記テープ切断判断手段は前記テープには光学的材料が塗布されており、光を当て反射光を観測することにより切断の有無を判断することを特徴とする特許請求範囲３１項記載の自動車管理システム
【請求項３４】
前記テープ切断判断手段は前記テープには蛍光材料が塗布されており、前記駐車場装置から光を当て蛍光を観測することにより切断の有無を判断することを特徴とする特許請求範囲３１項記載の自動車管理システム
【請求項３５】
前記テープ切断判断手段は前記テープは電線が設けられており、端部に設けられた電線の端部の電極により断線の有無を検知することことにより切断の有無を判断することを特徴とする特許請求範囲３１項記載の自動車管理システム
【請求項３６】
前記テープの端部の電極にはRFIDを設け、RFIDリーダーを設けておき前記RFIDリーダーによりRFIDを読み取ることにより切断の有無を判断することを特徴とする特許請求範囲３５項記載の自動車管理システム
【発明の詳細な説明】
【技術分野】
【０００１】
本発明は、複数の利用者が自動車を利用するレンタカーシステム、カーシェアリングシステムにおいて無人で貸し出し、返却を行うための自動車を管理する自動車管理装置、車載器、自動車管理システムに関する。
【背景技術】
【０００２】
近年複数の利用者が自動車を共同利用するカーシェアリングシステムが普及してきた。またレンタカーシステムも多様な形になってきている。利用者がこういったカーシェアリングシステム、レンタカーシステムの車を利用する場合に予約の仕組み、借り出す仕組みはいろいろ提案されてきている。特にICカードを利用して自動車を借り出す際にデジタルキー等を活用して店舗で無人で取り扱えるようなシステムが各種提案されてきている。
【０００３】
特許文献１ではICカードを使わなくても普及している携帯電話で各種手続きを行い携帯端末を操作して、シェアカーの利用料金の支払い、利用が可能なシステムが記載されている。このようにICカード、携帯電話等を活用して実際の自動車のキーのやり取りなしにデジタルキーで自動車の貸し出し、返却が可能となっている。
【特許文献１】特開２００７−１８３７４９
【発明の開示】
【発明が解決しようとする課題】
【０００４】
従来のカーシェアリングシステム、レンタカーの貸し出しシステムにおいては予約、貸し出し、決済等のシステムはICカード、携帯電話といったものを使ってユーザーが自動車の借り出し処理を行うことが可能である。そのときICカードや携帯電話を活用したデジタルキーを使うことにより貸し出し、返却時にも人の手を煩わせることなく処理を行っている。しかしながら予約、貸し出し、支払いといったことは人の手を煩わせることなく無人で可能となっているが、実際問題として自動車の貸し出し後返却時に事故などで自動車に異常が発生する場合等がある。現行はこの異常を検出する手段がないため人間が異常の有無をチェックする必要がある。有人の場所ではチェックは可能であるが、無人の場所ではチェックすることができていないというのが現状である。
【０００５】
そこで、本発明は、カーシェアリングシステム、レンタカーの貸し出しシステムにおいて予約、貸し出し処理、返却処理という部分はデジタルキー等を活用して無人で可能であるのに自動車の利用前後の異常のチェックといったことまでも無人で自動化するようにして自動車の貸し出し、返却を完全に無人自動化で行うことに可能とするシステムを提供することであり、自動車の利用の前後で自動車の異常の有無を検知するする自動車管理装置、車載装置  自動車管理システムを提供するものである。
【課題を解決するための手段】
【０００６】
本発明者は上記の課題を解決するため鋭意研究を行い次のような手法をとった。すなわち複数の利用者が自動車を利用するレンタカーシステムあるいは共同利用するカーシェアリングシステムにおいて該当自動車を管理する駐車場に設置される駐車場自動車管理装置と、この自動車に設置された車載装置とから構成されこの駐車場自動車管理装置は自動車の利用前後の車の状態を監視し、利用の後に利用時の異常の発生の有無を監視記録する異常監視記録手段を設けておき、さらに車載装置には自動車利用中の異常を監視記録する異常監視記録手段を設け、駐車場自動車管理装置の異常監視記録手段及び車載装置の異常監視記録手段の両者によりこの自動車の利用前後の異常を判断する自動車利用異常判断手段を設けておけばよい。
【０００７】
この駐車場自動車管理装置とこの車載装置は通信手段を有し車載装置に記録された異常情報を駐車場自動車管理装置に送信することにより異常情報を前述の駐車場自動車管理装置に取り込むようにしておけば駐車場管理装置で異常情報を一括に管理することができる。
【０００８】
この監視記録手段において自動車の利用における異常があった際には例えば自動車貸し出し返却管理センターに異常状態情報を送ったり、あるいは異常状態情報を記録するといった異常状態処理を行うようにすればよい。
【０００９】
この駐車場自動車管理装置の異常監視記録手段と車載装置の異常監視記録手段が共同して自動車の利用前後の異常検出するようにすれば片方の方法で漏れがあっても異常状況の情報の漏れの確率が少なくなるはずである。
【００１０】
またこの監視手段は駐車場自動車管理装置に設置された画像センサーであり利用者が車を利用した利用前後の車の外観画像を比較することにより異常を発見するようにしておけばユーザーが自動車を利用したときに発生した異常かどうかがわかる。
【００１１】
またこの車載装置はユニークなIDを設けておき、前述の駐車場自動車管理装置は車載装置IDにより識別し、自動車を特定し、この自動車の利用前後を比較することによってこの自動車利用中の異常を監視記録するようにしておけばよい。
【００１２】
次に車載装置について説明するが、前述の異常監視記録手段は画像センサー、音センサー、振動センサー、加速度センサーから選ばれた少なくとも１つのセンサーから構成され、センサーにより自動車利用中の状態を監視することにより異常状態を検知するようにすればよい。
【００１３】
前述の異常状態を監視し、異常状態を検知した際にはこの異常状態を記録する異常状態記録手段を設けておけばよい
【００１４】
前記画像センサーは自動車利用時の通常利用状態を記録しておき通常状態と変わった時あるいは、画像変化量が通常の画像変化量が最大値を超えたとき異常と判断するようにしておけばよい。
【００１５】
前述の音センサーは自動車利用時の通常利用状態を記録しておき通常状態の音量が最大値超えた時、あるいは通常状態の音の周波数パターンと異なったときあるいはその両者の組み合わせで異常と判断するようにしておけばよい。
【００１６】
前述の音センサーは自動車に複数設けられ異常時の複数の音の位相を解析することにより自動車のどの位置で異常が発生したかを特定する異常位置特定手段を設けておけば自動車のどの位置で異常が発生したかを特定することが可能となる。
【００１７】
前述の振動センサーは自動車利用時の通常利用状態を記録しておき通常状態の振動の振幅が最大値超えた時、あるいは通常状態の振動の周波数パターンと異なったときあるいはその両者の組み合わせで異常と判断するようにしておけばよい。
【００１８】
前述の加速度センサーは自動車利用時の通常利用状態を記録しておき通常状態の加速度が最大値超えた時、あるいは通常状態の加速度パターンと異なったときあるいはその両者の組み合わせで異常と判断するようにしておけばよい。
【００１９】
次に駐車場に設置される駐車場自動車管理装置のみの場合について説明するが、複数の利用者が自動車を利用するレンタカーあるいは共同利用するカーシェアリングのシステムにおける自動車を管理する駐車場に設置される自動車管理装置において自動車の利用前後の車の状態を監視し、利用の後に異常の発生の有無を監視記録する監視記録手段設けておけばよい。こうすることによって自動車の利用前後の異常を検知することが可能となる。
【００２０】
前述の監視手段は自動車管理装置に設置された画像センサーであり利用者が車を利用した利用前後の車の外観画像を比較することにより異常を発見するようにすればよい
【００２１】
前述の監視記録手段において利用における異常の記録があった際には例えば自動車貸し出し返却管理センターに異常状態情報を送ったり、あるいは異常状態情報を記録するといった異常状態処理を行うようにすればよい。
【００２２】
前述の自動車管理装置により管理される自動車の車両ボディ接触事故を検知するために検知用の連続したテープを設け、前述の自動車管理装置により自動車が利用中に接触事故を検知する目的で前記テープが切断しているかどうかを判断するテープ切断判断手段を設けておけばよい
【００２３】
前述のテープ切断判断手段は前記テープは電磁波吸収体が塗布されており、前述の駐車場自動車管理装置から電磁波を前記テープに照射し反射波を観測することにより切断の有無を判断するようにすればよい
【００２４】
前述のテープ切断判断手段は前述のテープには光学的材料が塗布されており、前述の駐車場自動車管理装置から光を当て反射光を観測することにより切断の有無を判断するようにすればよい
【００２５】
前述のテープ切断判断手段は前記テープには蛍光材料が塗布されており、前述の駐車場装置から光を当て蛍光を観測することにより切断の有無を判断するようにすればよい。
【００２６】
前述のテープ切断判断手段は前記テープは電線が設けられており、端部に設けられた電線の端部の電極により断線の有無を検知することことにより切断の有無を判断するようにすればよい
【００２７】
前述のテープの端部の電極にはRFIDを設け、前記駐車場自動車管理装置にはRFIDのリーダーが設置され前記RFIDリーダーによりRFIDを読み取ることにより切断の有無を判断してもよい
【００２８】
次に車載装置単独の場合について説明する。複数の利用者が自動車を利用するレンタカーシステムあるいは共同利用するカーシェアリングシステムにおいて画像センサー、音センサー、振動センサー、加速度センサーから選ばれた少なくとも１つのセンサーから構成され、センサーにより自動車利用中の状態を監視することにより異常状態を検知し、自動車の異常状況を監視する車載装置を設置するようにすればよい。
【００２９】
前述の異常状態を監視し、異常状態を検知した際には異常状態を記録する異常状態記録手段を設けておけばよい。
【００３０】
前述の画像センサーは自動車利用時の通常利用状態を記録しておき通常状態と変わった時あるいは、画像変化量が通常の画像変化量が最大値を超えたとき異常と判断すればよい
【００３１】
前述の監視記録手段において利用における異常の記録があった際には例えば自動車貸し出し返却管理センターに異常状態情報を送ったり、あるいは異常状態情報を記録するといった異常状態処理を行うようにすればよい。
【００３２】
前述の音センサーは自動車利用時の通常利用状態を記録しておき通常状態の音量が最大値超えた時、あるいは通常状態の音の周波数パターンと異なったときあるいはその両者の組み合わせで異常と判断するようにしておけばよい
【００３３】
前述の音センサーは自動車に複数設けられ異常時の複数の音の位相を解析することにより自動車のどの位置で異常が発生したかを特定する異常位置特定手段を設けておけばよい。
【００３４】
前述の振動センサーは自動車利用時の通常利用状態を記録しておき通常状態の振動の振幅が最大値超えた時、あるいは通常状態の振動の周波数パターンと異なったときあるいはその両者の組み合わせで異常と判断するようにしておけばよい
【００３５】
前述の加速度センサーは自動車利用時の通常利用状態を記録しておき通常状態の加速度が最大値超えた時、あるいは通常状態の加速度パターンと異なったときあるいはその両者の組み合わせで異常と判断するようにしておけばよい
【００３６】
次にボディのキズを検出する単独の方法について説明する。複数の利用者が自動車を利用するレンタカーあるいは共同利用するカーシェアリングのシステムにおける自動車を管理するシステムにおいて自動車の利用前後の車の状態を監視し、利用の後に異常の発生の有無を検出するため自動車の車両ボディの接触事故を検知するために検知用の連続したテープを設け、前述の自動車が利用中に接触事故などによる異常を検知する前述のテープが切断しているかどうかを判断するテープ切断判断手段を設けておけばよい。
【００３７】
このテープ切断判断手段はテープには電磁波吸収体が塗布されており、電磁波を前述のテープに照射し反射波を観測することにより切断の有無を判断するようにすればよい
【００３８】
またテープ切断判断手段は前述のテープに電線が設けられており、端部に設けられた電線の端部の電極により断線の有無を検知するようにすればよい。
【００３９】
このテープの端部の電極にはRFIDを設け、RFIDリーダーを設けておき前述のRFIDリーダーによりRFIDを読み取ることにより切断の有無を判断してもよい。
【００４０】
またこのテープ切断判断手段は前述のテープには光学的材料が塗布されており、光を当て反射光を観測することにより切断の有無を判断するよゆｓにすればよい。
【００４１】
このテープ切断判断手段は前記テープには蛍光材料が塗布されており、前述の駐車場装置から光を当て蛍光を観測することにより切断の有無を判断するようにすればよい。
【発明の効果】
【００４２】
本発明によればカーシェアリングシステムやレンタカーシステムの自動車の貸し出し、返却時にユーザーがデジタルキー等を活用したICカードや携帯電話で手続きを行うことで省力化が可能となっている。しかしこういった際に自動車の利用の際の事故などにより自動車にキズ等の異常が発生する場合があるが、従来の方法によればこういったキズなどの異常を検知することは不可能であった。上記のようにOCカードや携帯電話等で貸し出し返却可能であるのに異常の検知の部分のみが人手を要していた。本発明によれば自動車の利用前後の状態の異常を無人で検知することが可能となり、場所的な制約時間的な制約が減り自動車の貸し出し、返却の自由度をあげることが可能となる。
【発明を実施するための最良の形態】
【００４３】
以下に本発明を実施するための最良の形態の例について図に基づいて詳細に説明していく。図１はカー-シェアリング、またはレンタカーシステムの概要を示すもので１０１が駐車場自動者管理装置、１０２は自動車に備え付けられている車載装置。１０３はネットで接続されているサーバーである。ここでは従来提案されているようにユーザーがICカード、携帯電話といったもので自動車の貸し出しを予約、決済等をサーバーで行い、予約状況等を駐車場自動者管理装置１０１におくり、デジタルキーなどでユーザーは自動車を車載装置の介して借り出すことが可能となる。
【００４４】
そこで図２に示すような構成としてユーザーが自動車の利用前後での異常を検知できるようにしているが、ここで２０１はユーザーが借り出し返却する自動車、２０２はユーザーが操作する操作パネル、２０３、２０５はカメラを支持するポール、２０４（カメラ１）、２０６（カメラ２）は各ポールに設置されているカメラ（画像センサー）、２０７（カメラ３）は自動車の前部を撮影するためのカメラ（画像センサー）２０８を支持する支持体、２０９（カメラ４）は自動車の後部を撮影するためのカメラ（画像センサー）２１０を支持する支持体、２１１は自動車２０１に設置されている車載装置であり、２０２の操作パネルと近距離無線で通信可能となっている。また２１１には必要に応じて自動車を認識するための自動車ID（車載ID）を設けておき駐車場自動車管理装置と自動車IDで識別し通信すればよい。２１２は駐車場自動車管理装置とネットでサーバーと接続されている。
【００４５】
本実施例では近距離無線で接続を行っているがこれに限られるものではなく、例えば電気自動車の場合には駐車場に入った時に充電が必要となるがこのときのケーブルに有線の通信ケーブルを設けておいてもよい。
【００４６】
図３は駐車場自動車管理装置のブロック図を示しており、３０１駐車場自動車管理装置、３０２は車載装置、ネットを通じてサーバー部と通信する通信部、３０３はユーザーが操作するユーザーインターフェース部、３０４は記録部、３０５は制御演算部、３０６〜３０９はそれぞれカメラ１〜４の画像取得部である。
【００４７】
次に実際に自動車が出庫する際のカメラの動きについて説明するが、図４に示すように自動車が出庫するために起動されると図２の２０４、２０６のカメラで動画を取り自動車の側面の状況を取得し記録する。またユーザーが自動車に乗り込んだ時点あるいはこれから利用するという段階時に図２の２０８、２１０のカメラで静止画を取得し記録する。そして図４に示すように自動車が完全に車庫外に出たら記録を中止し、自動車の前面と、後方の静止画、自動車側面の動画を記録し、利用前の画像とする。
【００４８】
自動車の返却時すなわち入庫時について同様に説明する。その様子を図５に示したが、該当の自動車が駐車場管理装置に近づいてきた際に近距離無線で通信を行い、車載IDを確認し該当の自動車であれば図５の５０１で示すように図２の２０４、２０６のカメラで動画を取り自動車の側面の状況を取得し記録する。また自動車が完全に車庫に格納された際に図２の２０８、２１０のカメラで静止画を取得し記録する。そして図５に示すように自動車が完全に車庫に格納されたら記録を中止し、自動車の前面と、後方の静止画、自動車側面の動画を記録し、利用前の画像とする。
【００４９】
そして自動車の利用前後の記録された画像を図６に示すように利用前後の画像を比較し予め決定されている閾値より大きい時には異常がありとして異常処理を行えばよく、この異常処理は例えば管理センター通知するなどの処理を行えばよい。閾値より小さいすなわち異常がなければ異常無し処理を行えばよい。
【００５０】
このときの異常の記録は例えば図７に示したように例えば「自動車ID：2485BD」「貸出時間：０９/０８/２３ １０：３５」「返却時間:０９／０８／２３ ２３：５５」「異常個所：右後方フェンダー部」「異常コード：５１Ｃ」と記録しておけばよい。
【００５１】
次に車載装置によって自動車利用時に異常状態を検知する車載装置の説明を行うが、そのブロック図を図８に示した。８０１は車載装置であり、８０２は駐車場自動車管理装置との通信のための近距離無線通信部、８０３はＧＰＳシステムなどから構成された位置所得部であり、必要に応じて異常時の位置情報を記録すればよい。８０４は記録部、８０５は制御演算部、８０６はカメラ（画像センサー）、８０７は音センサー８０８は加速度センサー、８０９は振動センサーである。ここでは画像センサー、音センサー、加速度センサー、振動センサーの全ての場合を示したが、これに限られるものではない。必要に応じて例えば音センサーのみ、あるいは画像センサーのみ、あるいは音センサーと振動センサーとの組み合わせ等目的に応じて自由に使えばよい。
【００５２】
まず画像センサーの場合について説明するが、その様子を図９に示した。９０１は自動車であり、９０２は車載装置で９０３がフロントガラス部に設置されたカメラ（画像センサー）、９０４はリアガラス部に設置されたカメラ（画像センサー）である。このカメラ（画像センサー）を活用して異常状態の検知する方法について説明する。その様子を図１０のフローに示したが、１００１において画像センサーにより画像情報を取得し、１００２において予め記録しておいた通常状態（通常走行時）の画像のパターンと比較し異常かどうかを解析し異常かどうかを判断する。異常である場合には１００３において異常処理を行うが、異常状況を図１１に示すように記録してもよく、センターへの通信手段を設けておき異常状況をセンターに通信等で通報してもよい。走行終了時以外は画像情報取得を続行する。
【００５３】
図１１に記録される異常状態についての例を説明するが、「異常発生時間：2009/08/25  12:33：44」「異常発生位置：35.581809 139.592665」「異常検知センサー：画像センサー」「異常発生部：フロント右部」「異常発生コード：Ａ５５」と記録される。
【００５４】
次に音センサーの場合について説明するが、その様子を図１２に示した。１２０１は自動車、１２０２は車載装置、１２０３は音センサー１、１２０４は音センサー２、１２０５は音センサー３、１２０６は音センサー４であり、図１３に示すように音場を検出するために四隅に音センサー１〜音センサー４を配置した。図１４において自動車利用時の音センサーを活用して異常状態を検知する方法を説明する。１４０１において音センサーによる音情報の取得し、１４０２において予め記録しておいた通常状態（通常走行時）の音のパターンと比較し異常かどうかを解析し異常かどうかを判断する。異常である場合には１4０３において異常処理を行うが、異常状況を図１７に示すように記録してもよく、センターへの通信手段を設けておき異常状況をセンターに通信等で通報してもよい。走行終了時以外は音情報取得を続行する。
【００５５】
複数の音センサー（音センサー１〜音センサー４）を活用して異常の場所を特定する方法について説明するが、図１５に音の位相差により場所を特定するフローを示す。各音センサー１、音センサー２、音センサー３、音センサー４をそれぞれ１５０１の音位置１、１５０２の音位置２、１５０３の音位置３、１５０４の音位置４の音情報を１５０５において各異常音を解析し異常音源の位置特定のための演算を行い１５０６において異常音位置の特定を行う。図１６は演算結果によって導き出した異常状態の場所である。
【００５６】
先ほども記述したように異常音の発生している箇所は右後方フェンダー部であるので記録には「異常発生時間：09/07/15  19：33」「位置：35.668508 139.752724」「異常箇所：右後方フェンダー部」「異常コード：２１Ａ」と記録される。ここでは音の位相から異常箇所が特定されたが、駐車場自動車管理装置の画像と連携させてさらにこの部分の画像を詳細に分析し異常状態をより詳細に解明することは有効である。あるいはカメラをセンターから操作して異常該当箇所のさらなる分析を人の手によっておこなってもよい。
【００５７】
次に加速度センサーの場合について説明するが、その様子を図１８のフローに示したが、１８０１において加速度センサーにより加速度情報を取得し、１８０２において予め記録しておいた通常状態（通常走行時）の画像のパターンと比較し異常かどうかを解析し異常かどうかを判断する。異常である場合には１８０３において異常処理を行うが、異常状況を図１９に示すように記録してもよく、センターへの通信手段を設けておき異常状況をセンターに通信等で通報してもよい。走行終了時以外は加速度情報取得を続行する。
【００５８】
図１９に記録される異常状態についての例を説明するが、「異常発生時間：2009/08/25  12:33：44」「異常発生位置：35.581809 139.592665」「異常検知センサー：加速度センサー」」「異常発生コード：Ａ５５」と記録される。
【００５９】
次に振動センサーの場合について説明するが、その様子を図２０のフローに示したが、20０１において振動センサーにより振動情報を取得し、１８０２において予め記録しておいた通常状態（通常走行時）の振動のパターンと比較し異常かどうかを解析し異常かどうかを判断する。異常である場合には２００３において異常処理を行うが、異常状況を図２１に示すように記録してもよく、センターへの通信手段を設けておき異常状況をセンターに通信等で通報してもよい。走行終了時以外は加速度情報取得を続行する。
【００６０】
図２１に記録される異常状態についての例を説明するが、「異常発生時間：2009/08/25  12:33：44」「異常発生位置：35.581809 139.592665」「異常検知センサー：振動センサー」」「異常発生コード：Ａ５５」と記録される。
【００６１】
こおでは駐車場自動車管理装置と車載装置が連携した場合を説明したがこれに限られるものではない。例えば車載装置にサーバーへ通信手段を設けておき直接管理センターと交信し異常状態を通知してもよい。
【００６２】
自動車が接触事故などでキズがつきやすいボディの下部のキズの検知方法について説明する。その様子を図２２に示したが、２２０１は自動車であり、２２０２はボディの下部に貼られたテープである。このテープには電磁波の吸収材料の塗布、光の反射材の塗布、電線がを埋め込んでおく等の方法がある。
【００６３】
まずテープに電磁波の吸収材料の塗布してあるものについて説明するが図２３に示した。２３０１は自動車であり、２３０２は操作パネル、２３０３，２３０５は２３０４、２３０６の電波照射、電波受信センサー部を支持するポール、２３０７は自動車に貼られた電波吸収材を塗布したテープである。このときのフローを図２４に示したが自動車が出庫する時と入庫する時に２４０１において２３０４、２３０６の電波照射部から電波を照射しこの反射波を２４０２において電波受信センサーで受け、テープの部分の反射波の存在を判断しテープが連続的にある場合には２４０３において正常処理を行い、テープが連続的でない場合には２４０４において異常処理を行う。センターへの通信手段を設けておき異常状況をセンターに通信等で通報してもよい。必要に応じてテープの不連続部を検出し異常場所として特定してもよくまた上述と同様に異常状態を記録しておいてもよい。記録の例として図２７に示したが、「自動車ＩＤ：2485ＢＤ」「貸し出し時間：09/08/21  10：35」「返却時間：09/08/23  23：55」「異常箇所：右サイド前部」「異常コード：55Ｃ」であり。
【００６４】
次にテープに光の反射材料の塗布してあるものについて説明するが図２５に示した。２５０１は自動車であり、２５０２は操作パネル、２５０３，２５０５は２５０４、２５０６の光照射、光測定センサー部を支持するポール、２５０７は自動車に貼られた光反射材を塗布したテープである。このときのフローを図２６に示したが自動車が出庫する時と入庫する時に２６０１において２５０４、２５０６の光照射部から光を照射しこの反射波を２５０２において光測定センサーで受け、テープの部分の反射光の存在を判断しテープが連続的にある場合には２６０３において異常処理を行い、テープが連続的でない場合には２６０４において正常処理を行う。センターへの通信手段を設けておき異常状況をセンターに通信等で通報してもよい。必要に応じてテープの不連続部を検出し異常場所として特定してもよくまた上述と同様に異常状態を記録しておいてもよい。電磁波の例と同様に記録の例として図２７に示したが、「自動車ＩＤ：2485ＢＤ」「貸し出し時間：09/08/21  10：35」「返却時間：09/08/23  23：55」「異常箇所：右サイド前部」「異常コード：55Ｃ」であり。こおでは光反射材を塗布したが、これの変わりに蛍光材を塗布してもよくその際は該当蛍光材が発光する光を照射すればよい。
【００６５】
次にテープに電線を埋め込みこの電線の断線を検知することによって異常を検知する場合について説明するがその様子を図２８に示した。２８０１は自動車であり、２８０２は操作パネル、２８０３，２８０５は２８０４、２８０６の電極検出部を支持するポール、２８０７は自動車に貼られた電線を埋め込んだテープである。このときのフローを図２９に示したが自動車が出庫する時と入庫する時に２9０１において２８０４、２８０６の電極部に電極を当て２９０２において断線の有無を判断しテープが連続的にある場合には２９０４において正常処理を行い、テープが連続的でない場合には２９０３において異常処理を行う。センターへの通信手段を設けておき異常状況をセンターに通信等で通報してもよい。必要に応じてテープの不連続部を検出し異常場所として特定してもよくまた上述と同様に異常状態を記録しておいてもよい。電磁波の例と同様に記録の例として図２７に示したが、「自動車ＩＤ：2485ＢＤ」「貸し出し時間：09/08/21  10：35」「返却時間：09/08/23  23：55」「異常箇所：右サイド前部」「異常コード：55Ｃ」であり。
【００６６】
次にテープに電線を埋め込みこの電線の断線を検知する際に電極に接続させず非接触で測定する方法について説明するがその様子を図３０に示した。３００１は自動車であり、３００２は操作パネル、３００３，３００５は３００４、３００６の非接触電極検出部（ＲＦＩＤ）を支持するポール、３００７は自動車に貼られた電線を埋め込んだテープである。この場合のさらに詳しいＲＤＩＤ部を図３１に示す。ここで３１０１はＲＦＩＤ部であり３１０２はアンテナ、３１０３はＩＣ、３１０４は断線センサー、３１０５はテープに埋め込まれている電線である。電線３１０５の電線が切断すると３１０４のセンサーで検知し３１０３のＩＣで処理３１０２のアンテナで通信する。このときのフローを図３２に示したが自動車が出庫する時と入庫する時に３２０１において駐車場自動車管理装置とＲＦＩＤとの通信を開始し、３２０２において断線の有無の情報を駐車場自動車管理装置に送信する。断線の有無を判断しテープが連続的にある場合には３２０４において正常処理を行い、テープが連続的でない場合には３２０３において異常処理を行う。センターへの通信手段を設けておき異常状況をセンターに通信等で通報してもよい。必要に応じてテープの不連続部を検出し異常場所として特定してもよくまた上述と同様に異常状態を記録しておいてもよい。電磁波の例と同様に記録の例として図２７に示したが、「自動車ＩＤ：2485ＢＤ」「貸し出し時間：09/08/21  10：35」「返却時間：09/08/23  23：55」「異常箇所：右サイド前部」「異常コード：55Ｃ」であり。
【００６７】
次に駐車場自動車管理装置単独の場合について説明する。ここでは図３３に示すような構成としてユーザーが自動車の利用前後での異常を検知できるようにしている。ここで３３０１はユーザーが借り出し返却する自動車、３３０２はユーザーが操作する操作パネル、３３０３、３３０５はカメラを支持するポール、３３０４（カメラ１）、３３０６（カメラ２）は各ポールに設置されているカメラ（画像センサー）、３３０７（カメラ３）は自動車の前部を撮影するためのカメラ（画像センサー）３３０８を支持する支持体、３３０９（カメラ４）は自動車の後部を撮影するためのカメラ（画像センサー）３３１０を支持する支持体である。
【００６８】
図３４は駐車場自動車管理装置のブロック図を示しており、３４０１駐車場自動車管理装置、３４０２は車載装置、ネットを通じてサーバー部と通信する通信部、３４０３はユーザーが操作するユーザーインターフェース部、３４０４は記録部、３４０５は制御演算部、３４０６〜３４０９はそれぞれカメラ１〜４の画像取得部である。
【００６９】
次に実際に自動車が出庫する際のカメラの動きについて説明するが、図３５に示すように自動車が出庫するために起動されると図３３の３３０４、３３０６のカメラで動画を取り自動車の側面の状況を取得し記録する。またユーザーが自動車に乗り込んだ時点あるいはこれから利用するという段階時に図３３の３３０８、３３１０のカメラで静止画を取得し記録する。そして図３５に示すように自動車が完全に車庫外に出たら記録を中止し、自動車の前面と、後方の静止画、自動車側面の動画を記録し、利用前の画像とする。
【００７０】
自動車の返却時すなわち入庫時について同様に説明する。その様子を図３７に示したが、該当の自動車が駐車場管理装置に近づいてきた際にカメラ等で該当自動車かを判断し該当の自動車であれば図３６の３６０１で示すように図３３の３３０４、３３０６のカメラで動画を取り自動車の側面の状況を取得し記録する。また自動車が完全に車庫に格納された際に図３３の３３０８、３３１０のカメラで静止画を取得し記録する。そして図３６に示すように自動車が完全に車庫に格納されたら記録を中止し、自動車の前面と、後方の静止画、自動車側面の動画を記録し、利用前の画像とする。
【００７１】
そして自動車の利用前後の記録された画像を図３７に示すように利用前後の画像を比較し予め決定されている閾値より大きい時には異常がありとして異常処理を行えばよく、この異常処理は例えば管理センター通知するなどの処理を行えばよい。閾値より小さいすなわち異常がなければ異常無し処理を行えばよい。
【００７２】
このときの異常の記録は例えば図３８に示したように例えば「自動車ID：2485BD」「貸出時間：０９/０８/２３ １０：３５」「返却時間:０９／０８／２３ ２３：５５」「異常個所：右後方フェンダー部」「異常コード：５１Ｃ」と記録しておけばよい。
【００７３】
以上述べたように本発明によればカーシェアリングシステム、レンタカーシステムにおいてＩＣカードや携帯電話を使って予約支払いを行い非常に便利に活用できるだけなく、さらに、デジタルキーによる貸し出し、返却時にも特に利用前後の以上の有無の検出が無人で可能である。よってカーシェアリングシステム、レンタカーシステムが場所、時間等の制約を受けずに無人運用することが可能となる。
【図面の簡単な説明】
【００７４】
【図１】駐車場自動車場管理装置、車載装置とネットワークを介してサーバーと接続されている様子
【図２】自動車と駐車場自動車場管理装置、車載装置
【図３】駐車場自動車場管理装置、車載装置のブロック図
【図４】自動車出庫時のフロー
【図５】自動車入出庫時のフロー
【図６】自動車利用前後の画像比較
【図７】異常情報の蓄積の例
【図８】車載装置のブロック図
【図９】画像センサーの搭載状況
【図１０】画像センサーによる異常状況検知のフロー
【図１１】異常情報の蓄積の例
【図１２】音センサーの搭載状況
【図１３】音センサーの搭載状況
【図１４】音センサーの配置
【図１５】音センサーによる異常状況検知のフロー
【図１６】音センサーによる異常場所特定のフロー
【図１７】異常場所特定の例
【図１８】異常情報の蓄積の例
【図１９】加速度センサーによる異常状況検知のフロー
【図２０】異常情報の蓄積の例
【図２１】振動センサー異常情報の蓄積の例
【図２２】自動車のボディ下部の異常の検出のためのテープでの検出方法
【図２３】自動車のテープ（電磁波吸収体）と駐車場自動車場管理装置
【図２４】電波照射による異常検知のフロー
【図２６】自動車のテープ（光反射材）と駐車場自動車場管理装置
【図２７】光反射による異常検知のフロー
【図２８】自動車のテープ（電線）と駐車場自動車監理装置
【図２９】異常情報の蓄積の例
【図３０】自動車のテープ（電線と電極接続）と駐車場自動車場管理装置
【図３１】電線と電極接続による異常検知のフロー
【図３２】自動車のテープ（電線とRFID）と駐車場自動車場管理装置
【図３３】電線とRFID
【図３４】駐車場自動車管理装置のブロック図
【図３５】自動車出庫時のフロー
【図３６】自動車入出庫時のフロー
【図３７】自動車利用前後の画像比較
【図３８】異常情報の蓄積の例
【図１】
2011095880.tif 000003
【図２】
2011095880.tif 000004
【図３】
2011095880.tif 000005
【図４】
2011095880.tif 000006
【図５】
2011095880.tif 000007
【図６】
2011095880.tif 000008
【図７】
2011095880.tif 000009
【図８】
2011095880.tif 000010
【図９】
2011095880.tif 000011
【図１０】
2011095880.tif 000012
【図１１】
2011095880.tif 000013
【図１２】
2011095880.tif 000014
【図１３】
2011095880.tif 000015
【図１４】
2011095880.tif 000016
【図１５】
2011095880.tif 000017
【図１６】
2011095880.tif 000018
【図１７】
2011095880.tif 000019
【図１８】
2011095880.tif 000020
【図１９】
2011095880.tif 000021
【図２０】
2011095880.tif 000022
【図２１】
2011095880.tif 000023
【図２２】
2011095880.tif 000024
【図２３】
2011095880.tif 000025
【図２４】
2011095880.tif 000026
【図２６】
2011095880.tif 000027
【図２７】
2011095880.tif 000028
【図２８】
2011095880.tif 000029
【図２９】
2011095880.tif 000030
【図３０】
2011095880.tif 000031
【図３１】
2011095880.tif 000032
【図３２】
2011095880.tif 000033
【図３３】
2011095880.tif 000034
【図３４】
2011095880.tif 000035
【図３５】
2011095880.tif 000036
【図３６】
2011095880.tif 000037
【図３７】
2011095880.tif 000038
【図３８】
2011095880.tif 000039
【手続補正書】
【提出日】平成21年11月13日(2009.11.13)
【手続補正１】
【補正対象書類名】明細書
【補正対象項目名】００７４
【補正方法】変更
【補正の内容】
【００７４】
【図１】駐車場自動車場管理装置、車載装置とネットワークを介してサーバーと接続されている様子
【図２】自動車と駐車場自動車場管理装置、車載装置
【図３】駐車場自動車場管理装置、車載装置のブロック図
【図４】自動車出庫時のフロー
【図５】自動車入出庫時のフロー
【図６】自動車利用前後の画像比較
【図７】異常情報の蓄積の例
【図８】車載装置のブロック図
【図９】画像センサーの搭載状況
【図１０】画像センサーによる異常状況検知のフロー
【図１１】異常情報の蓄積の例
【図１２】音センサーの搭載状況
【図１３】音センサーの搭載状況
【図１４】音センサーの配置
【図１５】音センサーによる異常状況検知のフロー
【図１６】音センサーによる異常場所特定のフロー
【図１７】異常場所特定の例
【図１８】異常情報の蓄積の例
【図１９】加速度センサーによる異常状況検知のフロー
【図２０】異常情報の蓄積の例
【図２１】振動センサー異常情報の蓄積の例
【図２２】自動車のボディ下部の異常の検出のためのテープでの検出方法
【図２３】自動車のテープ（電磁波吸収体）と駐車場自動車場管理装置
【図２４】電波照射による異常検知のフロー
【図２５】自動車のテープ（光反射材）と駐車場自動車場管理装置
【図２６】光反射材による異常検知のフロー
【図２７】異常情報の蓄積の例
【図２８】異常情報の蓄積の例
【図２９】異常情報の蓄積の例
【図３０】自動車のテープ（電線と非接触接続）と駐車場自動車場管理装置
【図３１】電線と電極非接触接続（RFID）による異常検知のフロー
【図３２】自動車のテープ（電線とRFID）と駐車場自動車場管理装置
【図３３】自動車とカメラ
【図３４】駐車場自動車管理装置のブロック図
【図３５】自動車出庫時のフロー
【図３６】自動車入出庫時のフロー
【図３７】自動車利用前後の画像比較
【図３８】異常情報の蓄積の例
【手続補正２】
【補正対象書類名】図面
【補正対象項目名】全図
【補正方法】変更
【補正の内容】
【図１】
2011095880.tif 000040
【図２】
2011095880.tif 000041
【図３】
2011095880.tif 000042
【図４】
2011095880.tif 000043
【図５】
2011095880.tif 000044
【図６】
2011095880.tif 000045
【図７】
2011095880.tif 000046
【図８】
2011095880.tif 000047
【図９】
2011095880.tif 000048
【図１０】
2011095880.tif 000049
【図１１】
2011095880.tif 000050
【図１２】
2011095880.tif 000051
【図１３】
2011095880.tif 000052
【図１４】
2011095880.tif 000053
【図１５】
2011095880.tif 000054
【図１６】
2011095880.tif 000055
【図１７】
2011095880.tif 000056
【図１８】
2011095880.tif 000057
【図１９】
2011095880.tif 000058
【図２０】
2011095880.tif 000059
【図２１】
2011095880.tif 000060
【図２２】
2011095880.tif 000061
【図２３】
2011095880.tif 000062
【図２４】
2011095880.tif 000063
【図２５】
2011095880.tif 000064
【図２６】
2011095880.tif 000065
【図２７】
2011095880.tif 000066
【図２８】
2011095880.tif 000067
【図２９】
2011095880.tif 000068
【図３０】
2011095880.tif 000069
【図３１】
2011095880.tif 000070
【図３２】
2011095880.tif 000071
【図３３】
2011095880.tif 000072
【図３４】
2011095880.tif 000073
【図３５】
2011095880.tif 000074
【図３６】
2011095880.tif 000075
【図３７】
2011095880.tif 000076
【図３８】
2011095880.tif 000077